(57)【要約】  【課題】  原稿面を照射する露光ランプの発熱による温度上昇を低減し、装置の高速化の対応が可能となる一方、露光ランプの寿命を長くすることが可能な画像照明機構、画像読取装置および画像形成装置を提供すること。  【解決手段】  原稿面の画像を結像レンズを介してラインセンサに結像させて画像を読取る画像読取装置に搭載される画像照明機構３であって、原稿面を照射する露光ランプ１が取り付けられるベース９に放熱鋼板を用いる。【選択図】  図５
2006191233.tif 000002
【特許請求の範囲】
【請求項１】
原稿面の画像を結像レンズを介してラインセンサに結像させて画像を読取る画像読取装置に搭載される画像照明機構であって、
前記原稿面を照射する露光ランプが取り付けられるベースに放熱鋼板を用いて前記露光ランプの温度上昇を低減することを特徴とする画像照明機構。
【請求項２】
前記露光ランプの温度上昇の低減により前記露光ランプを長寿命化したことを特徴とする請求項１に記載の画像照明機構。
【請求項３】
請求項１又は請求項２に記載の画像照明機構を搭載したことを特徴とする画像読取装置。
【請求項４】
請求項３に記載された画像読取装置を搭載するとともに、記録媒体に画像を形成する画像形成手段を備えたことを特徴とする画像形成装置。
【発明の詳細な説明】
【技術分野】
【０００１】
本発明は、原稿を照射する露光ランプを有する画像照明機構、画像読取装置および画像形成装置に関する。
【背景技術】
【０００２】
従来、コンタクトガラスに載置された原稿の画像を読取る画像読取装置として、例えば特許文献１に示すものがある。
この特許文献１には、コンタクトガラス上に載置された原稿面を照明するための露光ランプおよび照明用のミラーを有する第１キャリッジと、この第１キャリッジから前記原稿面に照明され反射された光の光路方向を変えるためのミラーを有する第２キャリッジとを備え、前記第１キャリッジおよび前記第２キャリッジを副走査方向に移動させることにより、前記原稿面の画像を、結像レンズを介しラインセンサ上に結像させ原稿画像を読取る画像読取装置が開示されている。
【特許文献１】特開２００４−１５７１７４号公報
【発明の開示】
【発明が解決しようとする課題】
【０００３】
しかしながら、従来の画像読取装置では、原稿の画像の読取り際に、原稿面を照射する露光ランプの発熱により温度上昇してしまうという問題があった。
また、このような露光ランプの発熱による温度上昇が、装置の高速化を阻む要因となるばかりか、露光ランプの寿命を短くする要因となるという問題があった。
【０００４】
本発明は、従来の問題を解決するためになされたもので、原稿面を照射する露光ランプの発熱による温度上昇を低減し、装置の高速化の対応が可能となる一方、露光ランプの寿命を長くすることが可能な画像照明機構、画像読取装置および画像形成装置を提供することを目的とする。
【課題を解決するための手段】
【０００５】
本発明に係る画像照明機構は、原稿面の画像を結像レンズを介してラインセンサに結像させて画像を読取る画像読取装置に搭載される画像照明機構であって、前記原稿面を照射する露光ランプが取り付けられるベースに放熱鋼板を用いて前記露光ランプの温度上昇を低減するよう構成している。
この構成により、原稿面を照射する露光ランプからの発熱を速やかに放熱することができるため、露光ランプの温度上昇を低減することができる。また、このように露光ランプの温度上昇を低減することができるため、従来の露光ランプの発光量より増大させることができる。このため、コンタクトガラスに載置された原稿の画像を読取る場合に、読取精度を落とすことなくキャリッジの副走査方向への移動を高速化することができ、一方、自動原稿搬送装置を用いて原稿の画像を読取る場合に、読取精度を落とすことなく原稿の搬送速度を上げることができ、結果として、従来の画像読取装置や画像形成装置より高速化を図ることができる。
【０００６】
また、本発明に係る画像照明機構は、前記露光ランプの温度上昇の低減により前記露光ランプを長寿命化するよう構成している。
この構成により、温度上昇の低減により露光ランプを長寿命化を図ることができる。すなわち、従来の露光ランプと同一の発光量に設定した場合であっても、露光ランプによる発熱を効率良く放熱することができるので、露光ランプ自体の寿命を伸ばすことができる。
【０００７】
また、本発明に係る画像読取装置は、画像照明機構を搭載するよう構成している。
この構成により、原稿面を照射する露光ランプからの発熱を速やかに放熱することができるため、露光ランプの温度上昇を低減することができる。また、このように露光ランプの温度上昇を低減することができるため、従来の露光ランプの発光量より増大させることができる。このため、コンタクトガラスに載置された原稿の画像を読取る場合に、読取精度を落とすことなくキャリッジの副走査方向への移動を高速化することができ、一方、自動原稿搬送装置を用いて原稿の画像を読取る場合に、読取精度を落とすことなく原稿の搬送速度を上げることができ、結果として、従来の装置に比較して読取り動作を高速化した画像読取装置を提供することができる。また、温度上昇の低減により露光ランプを長寿命化を図ることができるため、従来の露光ランプと同一の発光量に設定した場合であっても、露光ランプによる発熱を効率良く放熱することができるので、露光ランプ自体の寿命を伸ばすことが可能な画像読取装置を提供することができる。
【０００８】
また、本発明に係る画像形成装置は、画像読取装置を搭載するとともに、記録媒体に画像を形成する画像形成手段を備えるよう構成している。
この構成により、原稿面を照射する露光ランプからの発熱を速やかに放熱することができるため、露光ランプの温度上昇を低減することができる。また、このように露光ランプの温度上昇を低減することができるため、従来の露光ランプの発光量より増大させることができる。このため、コンタクトガラスに載置された原稿の画像を読取る場合に、読取精度を落とすことなくキャリッジの副走査方向への移動を高速化することができ、一方、自動原稿搬送装置を用いて原稿の画像を読取る場合に、読取精度を落とすことなく原稿の搬送速度を上げることができ、結果として、従来の装置に比較して読取り動作を高速化した画像形成装置を提供することができる。一方、温度上昇の低減により露光ランプを長寿命化を図ることができるため、従来の露光ランプと同一の発光量に設定した場合であっても、露光ランプによる発熱を効率良く放熱することができるので、露光ランプ自体の寿命を伸ばすことが可能な画像形成装置を提供することができる。
【発明の効果】
【０００９】
本発明は、原稿面を照射する露光ランプの発熱による露光ランプの温度上昇を低減することによって、装置の高速化の対応が可能となる一方、露光ランプの寿命を長くすることが可能な画像照明機構、画像読取装置および画像形成装置を提供することができる。
【発明を実施するための最良の形態】
【００１０】
以下、本発明の実施の形態について、図面を用いて説明する。
図１〜図６は、本発明に係る画像形成装置の実施の形態を示す図であり、本発明に係る画像読取装置を画像形成装置としての複写機に搭載した例を示している。なお、画像形成装置としては複写機以外にファクシミリ装置、プリンタ装置、複写機能とファクシミリ機能等を備えた複合機等に適用することができる。
【００１１】
図１〜図３において、複写機の本体２１の上面にはコンタクトガラス２２ａが設けられており、このコンタクトガラス２２ａに隣接する本体の上面にはコンタクトガラス２２ａよりも小面積のスリットガラス２２ｂが設けられている。
【００１２】
また、本体２１の上部には自動用紙搬送装置としてのＡＤＦ（自動原稿搬送装置）２３が設けられており、このＡＤＦ２３は図示しないヒンジ機構を介してコンタクトガラス２２ａを開放および閉塞するように開閉自在になっている。
【００１３】
また、ＡＤＦ２３は、積層原稿からなる原稿束Ｐが原稿面を上向きにして載置される原稿テーブル２４と、原稿テーブル２４に載置された原稿束Ｐから原稿を一枚ずつ分離して給紙する分離給紙部２５と、給紙された原稿を突き当て整合してスキューの矯正を行うとともに、整合後の原稿を引き出して搬送するレジスト部２６と、搬送される原稿を反転させて、原稿面をスリットガラス２２ｂ側に向けて搬送するターン部２７と、原稿の表面画像をコンタクトガラス２２ａの下方に設けられた図示しない後述する画像読取装置により読取りを行わせる第１読取搬送部２８と、読取り終了後の原稿の裏面画像を読取る第２読取搬送部２９と、表裏の読取りが完了した原稿をＡＤＦ２３機外に排出する排紙部３０と、読取り完了後の原稿を積載保持するスタック部３１と、これら搬送動作の駆動を行うピックアップモータ１０１、給紙モータ１０２、読取りモータ１０３、排紙モータ１０４および底板上昇モータ１０５と、ＡＤＦ２３の一連の動作を制御するコントローラ１００とから構成されている。
【００１４】
原稿テーブル２４のテーブル面には原稿の長さを検知する原稿長さ検知センサ３２、３３が設けられており、この原稿長さ検知センサ３２、３３は反射型センサ、または、１枚の原稿でも検知可能なアクチェータータイプのセンサ等から構成され、原稿の搬送方向長さを検知して検知信号をコントローラ１００に出力するようになっている。したがって、原稿長さ検知センサ３２、３３は少なくとも同一原稿サイズの縦か横かを判断可能なように原稿テーブル２４のテーブル面に配置されている。
【００１５】
また、原稿テーブル２４の先端（原稿の搬送方向下流側）には可動テーブル３４が設けられており、この可動テーブル３４は底板上昇モータ１０５によって矢印ａ−ｂで示すように上下動されるようになっている。
【００１６】
また、原稿テーブル２４には図示しないサイドガイドが設けられており、このサイドガイドによって原稿束Ｐの幅方向（原稿の搬送方向と直行する方向）の位置決めが行われるようになっている。
【００１７】
また、可動テーブル３４の近傍にはセットフィラー３５および原稿セットセンサ３６が設けられており、セットフィラー３５は原稿テーブル２４に原稿束Ｐが載置されたときに破線で示す位置から実線で示す位置に移動し、原稿セットセンサ３６がこのセットフィラー３５を検知した状態から未検知状態に変化すると、コントローラ１００に信号を出力する。コントローラ１００はＩ／Ｆ１０７を介して複写機の本体２１に設けられた本体制御部１１１に信号を出力し、本体２１側では原稿の読取りを行うための待機状態に移行する。
【００１８】
また、コントローラ１００は原稿セットセンサ３６からの検知信号に基づいて原稿テーブル２４に原稿束Ｐが載置されたことを判断したときに、底板上昇モータ１０５を上昇させ原稿束Ｐの最上面をピックアップローラ３７に接触させる。
【００１９】
ピックアップローラ３７はピックアップモータ１０１からの駆動力が図示しないカム機構を介して伝達されるようになっており、ピックアップモータ１０１およびカム機構により矢印ｃ−ｄで示すように原稿束Ｐの上面に接触する位置と待避する位置の間で上下移動する。
【００２０】
また、可動テーブル３４の上方にはテーブル上昇センサ３８が設けられており、このテーブル上昇センサ３８は可動テーブルが矢印ｃ方向に上昇したときにピックアップローラ３７が上昇すると、ピックアップローラ３７の位置を検知することにより、上昇可能な上限を検知するようになっている。
【００２１】
また、本体２１側に設けられた操作部１０８のプリントキーが押下され、本体制御部１１１からＩ／Ｆ１０７を介してコントローラ１００に原稿給紙信号が送信されると、ピックアップローラ３７は給紙モータ１０２の正転により回転駆動するようになっており、原稿テーブル２４上の数枚（理想的には１枚）の原稿の給紙を開始する。
【００２２】
この給紙された原稿はピックアップローラ３７の下流側に設けられた給紙ベルト３９およびリバースローラ４０からなる分離給紙手段に給紙される。
【００２３】
給紙ベルト３９は給紙モータ１０２が正転駆動されると給紙方向（時計方向）に回転駆動されるようになっており、リバースローラ４０には図示しないトルクリミッタが内蔵され、給紙モータ１０２が正転駆動されると給紙方向と逆方向（時計方向）に回転駆動されるようになっている。このため、最上位の原稿とその下の原稿が分離されて、最上位の原稿のみが給紙される。
【００２４】
具体的には、リバースローラ４０は給紙ベルト３９と所定圧で接しており、給紙ベルト３９と直に接触しているとき、または、原稿１枚を介して接している状態では給紙ベルト３９の回転につられて反時計方向に連れ回りし、原稿が万が一２枚以上給紙ベルト３９とリバースローラ４０の間に進入した時は連れ回り力がトルクリミッタのトルクよりも低くなるように設定されている。このため、リバースローラ４０は本来の駆動方向である時計方向に回転し、余分な原稿を押し戻す働きをして重送を防止することができ、給紙ベルト３９とリバースローラ４０の作用により１枚に分離された原稿は給紙ベルト３９によって送られるようになっている。
【００２５】
また、給紙ベルト３９の下流側には突き当てローラ４１が設けられており、この突き当てローラ４１は駆動ローラ４１ａおよび従動ローラ４１ｂから構成され、給紙モータ１０２により回転駆動されるようになっている。
【００２６】
この突き当てローラ４１は給紙ベルト３９とリバースローラ４０の作用により１枚に分離された原稿のスキューの矯正およびさらに下流側に搬送する機能を有している。
【００２７】
すなわち、原稿の給紙時に給紙モータ１０２を停止することにより、突き当てローラ４１は停止された状態に設定されており、分離された原稿が突き当てローラ４１の上流側に設けられた突き当てセンサ４２によって検知された後、突き当てローラ４１に原稿の先端が突き当てられる。
【００２８】
そして、突き当てセンサ４２が原稿の先端を検知してコントローラ１００に信号を出力すると、コントローラ１００は突き当てセンサ４２の検知から所定量定められた距離だけ給紙モータ１０２を駆動して給紙ベルト３９を周回移動させることにより、突き当てローラ４１に原稿が所定量の撓みを持って押し当てられた状態にする。
【００２９】
また、給紙モータ１０２の停止前にピックアップモータ１０１を回転させてピックアップローラ３７を原稿束Ｐの上面から退避させる。このときには、原稿が給紙ベルト３９の搬送力のみで送られることにより、原稿先端が突き当てローラ４１の駆動ローラ４１ａおよび従動ローラ４１ｂのニップに進入して原稿の先端のスキューが矯正される。
【００３０】
また、スキューの矯正後に給紙モータ１０２が逆転駆動されるようになっており、このとき、突き当てローラ４１は給紙モータ１０２によって回転駆動され、分離された原稿を中間ローラ４３に搬送するようになっている。この中間ローラ４３は駆動ローラ４３ａおよび従動ローラ４３ｂから構成されており、給紙モータ１０２によって駆動される。
【００３１】
なお、給紙モータ１０２が逆転駆動されると、突き当てローラ４１と中間ローラ４３に給紙モータ１０２の駆動力が伝達され、ピックアップローラ３７と給紙ベルト３９には駆動力が駆動されない。
【００３２】
また、突き当てローラ４２の下流側には幅方向センサ４４が設けられており、この幅方向センサ４４は図２中、図面の手前側から奥側に複数個設けられ、搬送された原稿を検知してコントローラ１００に信号を出力するようになっている。コントローラ１００は幅方向センサ４４のＯＮ信号に基づいて原稿の搬送方向に直行する幅方向のサイズを検知するようになっている。
【００３３】
また、原稿の搬送方向の長さに関しては、コントローラ１００が原稿の突き当てセンサ４２からの検知信号に基づいて検知するようになっている。すなわち、突き当てセンサ４２が原稿の先端を検知してＯＮになり、その後、突き当てセンサ４２が原稿の後端を検知してＯＦＦになったときの給紙モータ１０２のパルス信号を計数することにより、原稿の長さを検知する。
【００３４】
また、中間ローラ４３の下流側には読取入口ローラ４５が設けられており、この読取入口ローラ４５は駆動ローラ４５ａおよび従動ローラ４５ｂから構成され、読取りモータ１０３によって駆動される。
【００３５】
また、スリットガラス２２ｂの上面には第１読取ローラ４７が設けられているとともに、この第１読取ローラ４７の下流側には読取出口ローラ４８が設けられており、第１読取ローラ４７は駆動ローラから構成され、読取出口ローラ４８は駆動ローラ４８ａおよび従動ローラ４８ｂから構成されている。
【００３６】
また、この読取出口ローラ４８の下流側には第２読取ローラ４９が設けられており、第２読取ローラ４９は駆動ローラから構成されている。また、第２読取ローラ４９の下流側には読取出口ローラ５０が設けられており、この読取出口ローラ５０は駆動ローラ５０ａおよび従動ローラ５０ｂから構成されている。そして、これら各ローラ４５、４７、４８、４９および５０は読取りモータ１０３によって駆動される。
【００３７】
また、第２読取ローラ４９の上方にはＣＣＤ等のイメージセンサ（第２読取り部）５１が設けられており、このイメージセンサ５１は原稿の他方の面を読取るようになっている。
【００３８】
また、中間ローラ４３の下流側には入口センサ４６が設けられており、この入口センサ４６は原稿先端を検知するとコントローラ１００に信号を出力するようになっている。
【００３９】
コントローラ１００は入口センサ４６から信号が入力されると、読取入口ローラ４５の駆動ローラ４５ａおよび従動ローラ４５ｂのニップに原稿先端が進入する前に原稿搬送速度を読取搬送速度と同速にするために給紙モータ１０２の減速を開始するのと同時に、読取りモータ１０３を正転駆動して中間ローラ４３を読取りモータ１０３側の駆動系に接続するとともに、読取入口ローラ４５、第１読取ローラ４７、読取出口ローラ４８、第２読取ローラ４９を駆動するようになっている。
【００４０】
また、突き当てローラ４１および中間ローラ４３の駆動によりレジスト部２６からターン部２７に原稿を搬送する際には、レジスト部２６での搬送速度を第１読取搬送部２８での搬送速度よりも高速に設定して原稿をスリットガラス２２ｂに送り込む処理時間の短縮を図るとともに、原稿の紙間距離を縮めるようにしている。
【００４１】
また、読取入口ローラ４５の下流側にはレジストセンサ７１が設けられており、このレジストセンサ７１は原稿の先端を検知してコントローラ１００に信号を出力するようになっている。
【００４２】
コントローラ１００はレジストセンサ７１から信号が入力すると、給紙モータ１０２を所定の搬送距離をかけて減速し、スリットガラス２２ｂの手前で一時停止すると共に本体制御部１１１にＩ／Ｆ１０７を介してレジスト停止信号を送信する。コントローラ１００は本体制御部１１１から読取開始信号を受信すると、レジスト停止していた原稿の先端がスリットガラス２２ｂに到達するまでに所定の搬送速度に立ち上がるように読取りモータ１０３を増速して中間ローラ４３および読取入口ローラ４５により原稿を搬送する。
【００４３】
ここで、原稿の先端がレジストセンサ７１に到達するより前に読取開始信号を受信した場合はレジスト非停止読取動作となる。レジスト非停止読取動作の場合はレジスト停止を行わずに、読取搬送速度を維持したまま読取りを行う。
【００４４】
読取りモータ１０３のパルスカウントにより検出された原稿先端がスリットガラス２２ｂに到達するタイミングで、本体制御部１１１に対して第１面の副走査方向有効画像領域を示すゲート信号がスリットガラス２２ｂを原稿後端が抜けるまで送信される。
【００４５】
片面原稿読取りの場合には、スリットガラス２２ｂを通過した原稿は第２読取搬送部２９を経て排紙部３０に搬送される。この際、排紙センサ７４により原稿の先端を検知すると、排紙モータ１０４を正転駆動して排紙ローラ７３を反時計方向に回転させる。
【００４６】
排紙センサ７４による原稿の先端検知からの排紙モータ１０４のパルスカウントにより、原稿後端が排紙ローラ７３の駆動ローラ７３ａおよび従動ローラ７３ｂのニップから抜ける直前に排紙モータ１０４の駆動速度を減速させて、スタック部３１に排出される原稿が飛び出さないように制御される。
【００４７】
両面原稿読取りの場合には、排紙センサ７４で原稿先端を検知してから読取りモータ１０３のパルスカウントによりイメージセンサ５１に原稿先端が到達するタイミングでイメージセンサ５１に対してコントローラ１００から副走査方向の有効画像領域を示すゲート信号がイメージセンサ５１を原稿後端が抜けるまで送信される。
【００４８】
一方、複写機の本体２１内には、原稿面の画像を読取る画像読取装置８１が設けられ、この画像読取装置８１によって読取られた画像情報は書込部８２によって感光体ドラム８３に照射されるようになっている。
【００４９】
画像読取装置８１は、図４に示すように、原稿面を照射するための露光ランプ１および原稿面によって反射された反射光の光路方向を変える第１ミラー２が取り付られた第１キャリッジ３（画像照明機構）と、第１ミラー２によって光路方向が変更された光の光路方向を変える第２ミラー４ａ、４ｂを有する第２キャリッジ５と、第２のミラー４ａ、４ｂによって光路方向が変更された光を結像レンズ６を介して読取るラインセンサ７と、露光ランプ１に電源を供給するインバータ８とを備えている。
【００５０】
第１キャリッジ３と第２キャリッジ５は、摺動部材を介して図示しないガードレール上に載せられており、副走査方向（図４に示す方向Ａおよび方向Ｂ）に直線移動できるようになっている。これにより、原稿がコンタクトガラス２２ａに載置されている場合には、第１キャリッジ３は、原稿面を前面走査し、一方、第２キャリッジ５は、所定の光路長を保つように、第１キャリッジ３の１／２の速度で移動するようになっている。また、ＡＤＦ２３を用いる場合には、第１キャリッジ３は、図４に示すように、スリットガラス２２ｂの下方で待避するようになっている。
【００５１】
画像読取装置８１は、原稿がコンタクトガラス２２ａに載置されている場合には、第１キャリッジ３および第２キャリッジ５を副走査方向に移動させることにより、原稿面の画像を結像レンズ６を介してラインセンサ７上に結像させて原稿の画像を読取るようになっている。また、画像読取装置８１は、ＡＤＦ２３を用いる場合には、第１キャリッジ３および第２キャリッジ５を図４で示すような所定の位置で待避させて、スリットガラス２２ｂ上の読取位置に搬送された原稿の画像も同様にして読取るようになっている。
【００５２】
第１キャリッジ３は、画像照明機構を構成しており、図５に示すように、ベース９と、原稿に光を照射する露光ランプ１と、原稿に照射した光を第２キャリッジ５に導くための第１のミラー２と、不要なフレア光を遮断する遮光板１０とを備えている。なお、前述した露光ランプ１、第１のミラー２および遮光板１０は、ベース９に取り付けられている。
【００５３】
第１キャリッジ３を構成するベース９は、放熱鋼板によって形成され、原稿を照射する度に露光ランプ１で発生した熱を第１キャリッジ３から速やかに放熱するようになっている。なお、本実施の形態においては、ベース９が放熱鋼板によって形成さているが、これに限定されるものではなく、露光ランプ１によって発生する熱を放熱できる材質のものであればよい。
【００５４】
感光体ドラム８３の周囲には、図６に示すように、感光体ドラム８３と共に画像形成手段を構成する帯電装置８４、電位センサ８５、現像装置８６、転写ベルト８７、クリーニング装置８８、除電装置８９が設けられている。帯電装置８４は暗中にプラス電荷のコロナ放電をグリッドにより制御して感光体ドラム８３の表面を一定電位に帯電させるようになっている。
【００５５】
書込部８２はこの一定電位に帯電された感光体ドラム８３上に画像情報を含んだレーザダイオードを照射して感光体ドラム８３上のマイナス電荷を除去して静電潜像を形成する。
【００５６】
電位センサ８５は感光体ドラム８３上の電位を測定してプロセスコントロールによって補正を行う。
【００５７】
現像装置８６は感光体ドラム８３上の電気除去された部分にマイナスに帯電されたトナーを付着させて可視像を形成する。
【００５８】
転写ベルト８７にはプラスのバイアスが印加されており、この転写ベルト８７はマイナスに帯電された可視像を記録媒体を構成する転写紙（用紙）に転写して搬送するようになっている。
【００５９】
クリーニング装置８８はクリーニングブレードを備えており、感光体ドラム８３に残ったトナーを掻き落とすようになっている。
【００６０】
除電装置８９はＬＥＤを点灯させることにより感光体ドラム８３の残留電荷を除去して次の転写紙に新たな画像を形成するための準備を行う。
【００６１】
このようにした画像が形成された転写紙は定着装置９０に搬送され、定着装置９０によりトナー画像が転写紙に定着される。 
【００６２】
また、本体２１内にはそれぞれ異なるサイズの転写紙Ｓ1〜Ｓ5が収納された収納カセット９１〜９５が設けられており、この収納カセット９１〜９５に収納された転写紙は呼出しローラ９１ａ〜９５ａによって給紙された後、搬送方向に回転する給紙ローラ９１ｂ〜９５ｂおよび給紙ローラ９１ｂ〜９５ｂに摺接し、分離阻止方向に回転するリバースローラ９１ｃ〜９５ｃによって分離された後、中継ローラ対９６、９７を介してレジストローラ対９８に搬送され、レジストローラ対９８によってタイミングを取られて感光体ドラム８３と転写ベルト８７の間の搬送路に搬送される。
【００６３】
このような本実施の形態における画像照明機構は、原稿面を照射する露光ランプからの発熱を速やかに放熱することができるため、露光ランプの温度上昇を低減することができる。また、このように露光ランプの温度上昇を低減することができるため、従来の露光ランプの発光量より増大させることができる。このため、コンタクトガラスに載置された原稿の画像を読取る場合に、読取精度を落とすことなくキャリッジの副走査方向への移動を高速化することができ、一方、自動原稿搬送装置を用いて原稿の画像を読取る場合に、読取精度を落とすことなく原稿の搬送速度を上げることができ、結果として、従来の画像読取装置や画像形成装置より高速化を図ることができる。
【００６４】
また、本実施の形態における画像照明機構は、温度上昇の低減により露光ランプを長寿命化を図ることができる。すなわち、従来の露光ランプと同一の発光量に設定した場合であっても、露光ランプによる発熱を効率良く放熱することができるので、露光ランプ自体の寿命を伸ばすことができる。
【００６５】
また、本実施の形態における画像読取装置および画像形成装置は、原稿面を照射する露光ランプからの発熱を速やかに放熱することができるため、露光ランプの温度上昇を低減することができる。また、このように露光ランプの温度上昇を低減することができるため、従来の露光ランプの発光量より増大させることができる。このため、コンタクトガラスに載置された原稿の画像を読取る場合に、読取精度を落とすことなくキャリッジの副走査方向への移動を高速化することができ、一方、自動原稿搬送装置を用いて原稿の画像を読取る場合に、読取精度を落とすことなく原稿の搬送速度を上げることができ、結果として、従来の装置に比較して読取り動作を高速化することができる。また、温度上昇の低減により露光ランプを長寿命化を図ることができるため、従来の露光ランプと同一の発光量に設定した場合であっても、露光ランプによる発熱を効率良く放熱することができるので、露光ランプ自体の寿命を伸ばすことができる。
【図面の簡単な説明】
【００６６】
【図１】本発明に係る画像読取装置を備えた画像形成装置の実施の形態を示す図であり、画像形成装置としての複写機の概略構成図である。
【図２】本発明に係る画像形成装置の実施の形態におけるＡＤＦの概略構成図である。
【図３】本発明に係る画像形成装置の実施の形態における駆動系のブロック図である。
【図４】本発明に係る画像形成装置の実施の形態における画像読取装置の概略構成図である。
【図５】本発明に係る画像形成装置の実施の形態における第１キャリッジの概略構成図である。
【図６】本発明に係る画像形成装置の実施の形態における画像形成手段の構成図である。
【符号の説明】
【００６７】
露光ランプ  １
第１ミラー  ２
第１キャリッジ（画像照明機構）  ３
第２ミラー  ４ａ、４ｂ
第２キャリッジ  ５
結像レンズ  ６
ラインセンサ  ７
インバータ  ８
ベース  ９
遮光板  １０
本体  ２１
コンタクトガラス  ２２ａ
スリットガラス  ２２ｂ
ＡＤＦ  ２３
画像読取装置  ８１
【図１】
2006191233.tif 000003
【図２】
2006191233.tif 000004
【図３】
2006191233.tif 000005
【図４】
2006191233.tif 000006
【図５】
2006191233.tif 000007
【図６】
2006191233.tif 000008